(57)【要約】【目的】介護施設等の集団で生活又は活動する場で、多数の患者が略同一時間帯内に一斉に服薬すること、さらに多数の患者が前記一斉の服薬をすることを少数の介助者が介助することを容易にする方法及び用具を提供する。【構成】複数の各患者毎のお薬カレンダーから、或る服用回に対応する薬剤を収容した収容部を同時に又は順次分離し（取り外し）、前記分離した或る服用回に対応する複数の患者用の各収容部を、特定の又は各服用日若しくは服用回別に複数の患者に渡り横断的に纏め、それらを一つの容器に一覧可能に並べて配置することを含む、複数の患者毎のお薬カレンダーから各薬剤収容部を特定の又は各服用日若しくは服用回用に複数の患者を横断するように纏める方法、及び当該方法に適した収容部切り離し纏め用具である。【選択図】    図１
2020110233.tif 000002
【特許請求の範囲】
【請求項１】
患者毎に日付又は曜日と時間帯により特定される各服用回にそれぞれ対応する薬剤を収容した収容部を、１日当たり３回又は４回などの複数回分として例えば４週間分などとなる例えば計２１回又は計２８回などの所定回数の各服用回にそれぞれ対応するように、縦及び横方向に並べて配置したお薬カレンダーを用意しておき、
複数の患者毎の各お薬カレンダーから、各収容部を、前記縦及び横方向に並べられた相互の位置関係を維持したまま又は同位置関係が分かるようにしたまま、分離するステップと、
前記分離された各患者毎の各収容部を、特定の又は各服用日若しくは服用回別に、複数の患者に渡り横断的に纏めるステップと、
前記纏められた複数の患者用の各収容部を、特定の又は各服用日若しくは服用回用に、複数の患者に渡り横断的に一つの容器に配置するステップと
を含み、集団で生活又は活動する場において複数の患者が同一時間帯内に一斉に誤り無く服薬することを容易にするための、複数の患者毎のお薬カレンダーから各薬剤収容部を特定の又は各服用日若しくは服用回用に複数の患者を横断するように纏める方法。
【請求項２】
前記配置するステップは、前記纏められた複数の患者用の各収容部を、特定の又は各服用日若しくは服用回用に、複数の患者に渡り横断的に一つの容器に一覧可能に並べて配置するものであることを特徴とする請求項１に記載の複数の患者毎のお薬カレンダーから各薬剤収容部を特定の又は各服用日若しくは服用回用に複数の患者を横断するように纏める方法。
【請求項３】
前記纏められて容器に配置される前の各収容部又は前記纏められて容器に配置された後の各収容部に表示されている、当該各患者の識別データ及び当該服用日若しくは服用回又はその服薬に関して前記各収容部にバーコード等により表示されている情報を読み取るステップと、
前記読み取った各患者の識別データ及び当該服用日若しくは服用回又はその服薬に関して前記各収容部にバーコード等により表示されている情報を、予め記録されている複数の各患者及び各服用日若しくは服用回又はその服薬に関する情報と比較又は照合するステップと
をさらに含むことを特徴とする請求項１又は２に記載の複数の患者毎のお薬カレンダーから各薬剤収容部を特定の又は各服用日若しくは服用回用に複数の患者を横断するように纏める方法。
【請求項４】
患者毎に日付又は曜日と時間帯により特定される各服用回にそれぞれ対応する薬剤を収容した収容部が１日当たり３回又は４回などの複数回分として例えば４週間分などとなる例えば計２１回又は計２８回などの所定回数の各服用回にそれぞれ対応するように縦及び横方向に並べられて配置されている複数の患者のお薬カレンダーから、それらの中の各薬剤収容部を各服用日若しくは服用回別に複数の患者を横断するように纏める際に使用される収容部切り離し纏め用具であって、前記お薬カレンダーを載置する載置部であって前記お薬カレンダー中の各収容部間の隙間に対向する凹部（溝状のものを含む）を有する載置部と、前記お薬カレンダー中の各収容部間の隙間の破断又は切断による各収容部の分離を行う先端部を含み、前記先端部が前記お薬カレンダーの前方から前記各収容部間の隙間及び前記載置部の凹部内に移動する過程で前記各収容部間をそれらの間の隙間から同時に又は順次分離する分離部とを備えた収容部切り離し纏め用具。
【請求項５】
前記分離部の後方側（前記分離部がお薬カレンダー方向に移動するときの後方側）に配置された保持部であって複数の収容部を積層可能に保持する保持部を備えた請求項４に記載の収容部切り離し纏め用具。
【請求項６】
前記分離部の先端部は、それが対向する前記お薬カレンダーの各収容部間の隙間の長手方向と直交する方向で且つ前記移動方向に沿う断面が、前記移動方向の先端に近づくにつれて徐々に幅が小さくなるように、形成されている請求項４又は５に記載の収容部切り離し纏め用具。
【請求項７】
前記分離部の先端部は、前記移動方向と直交する方向に対して少なくとも部分的に傾斜又は湾曲するように形成されている請求項４から６までのいずれかに記載の収容部切り離し纏め用具。
【発明の詳細な説明】
【技術分野】
【０００１】
本発明は、一人の患者が服用する薬剤を各服用回別に分けて各収容部に収容し当該複数の収容部を複数の服用回に渡って一覧できるように縦及び横方向に並べて配置したお薬カレンダーを、集団で生活又は活動する患者側において効率的に且つ誤り無く使用できるようにするための方法、及びその方法の実施に適した用具に関する。
【背景技術】
【０００２】
従来より、各患者が薬剤の服用を忘れたり間違った服薬をすることを防止し適正な服薬管理を可能にするためのツールとして、お薬カレンダーが知られている。このお薬カレンダーには、様々なタイプのものがあるが、例えば最近のものとしては、図３２に示すような、一人の患者毎に各服用回（日付又は曜日と朝・昼・夕及び寝る前などの時間帯等により特定される各服用回）にそれぞれ対応する１回分の薬剤を収容した収容部を１日当たり３回又は４回などの複数回分として例えば４週間分となる例えば計２１回又は計２８回などの所定回数の各服用回に対応するように縦及び横方向に並べて配置したもので、調剤薬局などが作成して患者に交付するものが知られている（特許文献１参照）。
【０００３】
このお薬カレンダーを調剤薬局から交付された患者は、自宅の壁などに掛けておき、例えば図３２に示すように、毎日、その朝、昼、夕及び寝る前の計４回（又は朝、昼及び夕の計３回）ずつ、各服用回毎に例えば同図の下側の左から右方向に、さらに日が替わる毎に例えば下側から上側方向に、順次、切り離し取り出して服用する。
【先行技術文献】
【特許文献】
【０００４】
【特許文献１】特許第６０３５４６９号公報
【発明の概要】
【発明が解決しようとする課題】
【０００５】
前述のようなお薬カレンダーは、確かに個々の患者にとっては、毎日、その朝、昼、夕及び寝る前などの各服用回毎の服薬を見える化し服薬のし忘れ又は誤りを防ぐことに関し優れた効果が見込まれるものである。
【０００６】
しかし、他方、多数の患者が集団での一律的な生活又は活動を行う場においては、個々の患者がバラバラに服薬するのではなく、多数の患者が一つのグループとして略同一時間帯（同一の服用回）に一斉に服薬を行うべき場合がある。例えば、高齢者介護施設では、略同一時間帯内に、少数の介助者が多数の患者（高齢者）を介助しながら、多数の患者（高齢者）に一斉に服薬させるようにしている。そのような場合に、前述のような個々の患者毎に最適化されたお薬カレンダーをそのまま使用するときは、介助者は、多数の患者がそれぞれ保有するお薬カレンダーから一つずつ当該服用回に対応する薬剤収容部を取り出して各患者（自分だけで服薬できない高齢者）に与えるという作業を完遂することが必要になるが、少数の介助者が多数の患者のためにほぼ一斉にこのような煩雑な作業を略同一時間帯の短時間内に誤りなく行うことは極めて難しいという課題（問題）が存在した。
【０００７】
本発明は、このような新規な課題、すなわち介護施設などの集団で生活又は活動する場において多数の患者が略同一時間帯内に速やかに一斉に誤りなく服薬する（又は、介護施設などのように多数の患者が集団で生活又は活動する場において少数の介助者が多数の患者が同一時間帯内に速やかに一斉に誤りなく服薬するように多数の患者を効率的に介助する）ことを容易にするという新規な課題を解決することができる方法及び用具を提供することを目的とするものである。
【課題を解決するための手段】
【０００８】
以上のような新規な課題を解決するために、本発明者が創作した複数の発明は、次のとおりである。まず、本発明による複数の患者毎のお薬カレンダーから各薬剤収容部を特定の又は各服用日若しくは服用回用に複数の患者を横断するように纏める方法は、患者毎に日付又は曜日と時間帯により特定される各服用回にそれぞれ対応する薬剤を収容した収容部を、１日当たり３回又は４回などの複数回分として例えば４週間分などとなる例えば計２１回又は計２８回などの所定回数の各服用回にそれぞれ対応するように、縦及び横方向に並べて配置したお薬カレンダーを用意しておき、複数の患者毎の各お薬カレンダーから、各収容部を、前記縦及び横方向に並べられた相互の位置関係を維持したまま又は同位置関係が分かるようにしたまま、分離する分離ステップと、前記分離された各患者毎の各収容部を、特定の又は各服用日若しくは服用回別に、複数の患者に渡り横断的に纏める纏めステップと、前記纏められた複数の患者用の各収容部を、特定の又は各服用日若しくは服用回別に、複数の患者に渡り横断的に一つの容器に配置する（より望ましくは、複数の患者に渡り横断的に一つの容器に一覧可能に並べて配置する）配置ステップとを含み、これらにより、集団で生活又は活動する場において複数の患者が同一時間帯内に一斉に誤り無く服薬することを容易にするものである。
【０００９】
また、本発明による複数の患者毎のお薬カレンダーから各薬剤収容部を特定の又は各服用日若しくは服用回用に複数の患者を横断するように纏める方法は、患者毎に日付又は曜日と時間帯により特定される各服用回にそれぞれ対応する薬剤を収容した収容部を、１日当たり３回又は４回などの複数回分として例えば４週間分などとなる例えば計２１回又は計２８回などの所定回数の各服用回にそれぞれ対応するように、縦及び横方向に並べて配置したお薬カレンダーを用意しておき、複数の患者毎の各お薬カレンダーから、各収容部を、前記縦及び横方向に並べられた相互の位置関係を維持したまま、分離する分離ステップと、前記分離された各患者毎の各収容部を、特定の又は各服用日若しくは服用回別に、複数の患者に渡り横断的に纏める纏めステップと、前記纏められた複数の患者用の各収容部を、特定の又は各服用日若しくは服用回用に、複数の患者に渡り横断的に一つの容器に配置する（より望ましくは一覧可能に並べて配置する）配置ステップと、前記纏められて容器に配置される前の各収容部又は前記纏められて容器に配置された後の各収容部に表示されている、当該各患者の識別データ及び当該服用日若しくは服用回又はその服薬に関する情報を、読み取る（画像として取り込んで文字又は記号等として認識する）読み取りステップと、前記読み取られた（画像として取り込まれ文字又は記号等として認識された）各患者の識別データ及び当該服用日若しくは服用回又はその服薬に関する情報を、予め記録しておいた複数の各患者及び各服用日若しくは服用回又はその服薬に関する情報と比較又は照合する監査ステップとを含むことを特徴とするものである。
【００１０】
すなわち、前記発明では、例えば、複数の患者が或る服用回においてそれぞれ服用すべき各薬剤の収容部であって前記纏められた（前記纏められた後に容器に配置される前の又は同配置された後の）複数の収容部中の各患者の識別データ及び当該服用日若しくは服用回又はその服薬に関する情報（各収容部にバーコード等で表示された情報）を、カメラ又はスキャナなどから構成される読み取り部が順次（又は一覧で一度に）読み取り（画像として取り込んで文字又は記号等として認識し）、ＣＰＵなどから構成される制御部が、前記読み取られた情報と、ハードディスクなどから構成される記録部に予め記録されていた各患者及び各服用日若しくは服用回又はその服薬に関する情報（各収容部にバーコード等で表示された情報）とを比較照合する（さらに、もし不適合があれば、前記制御部が、スピーカ又はディスプレイなどから構成される出力部を制御して所定の出力を行う）ようにし、これにより、前記纏められた（又は容器に配置された）各収容部が当該複数の各患者及び服用回等に適合しているか否かを有効に監査、確認できるようにしたものである。なお、本発明では、前記各収容部に表示された患者及びその服薬に関する情報を読み取るステップにおいて、前記容器に一覧可能に並べて配置された各収容部にそれぞれ表示された患者、服用日又は服用回、及び服薬に関する情報を一覧で一度に読み取ることも、前記纏められた各収容部に表示された患者、服用日又は服用回、及び服薬に関する情報を順次（一覧に並べられた状態を一度にではなく、個々的に順次）読み取ることも、可能である。特に、前記読み取りステップを（又は一連の全てのステップを）自動的に行うようにしたときは、前記容器に一覧可能に並べられた各収容部を一度に読み取るか、前記纏められた（前記容器に配置される前又は後の）個々の各収容部を順次（一覧の状態ではなく）読み取るかによって、作業効率が大きく異なることはない。
【００１１】
また、本発明による収容部切り離し纏め用具は、患者毎に日付又は曜日と時間帯により特定される各服用回にそれぞれ対応する薬剤を収容した収容部が１日当たり３回又は４回などの複数回分として例えば４週間分などとなる例えば計２１回又は計２８回などの所定回数の各服用回にそれぞれ対応するように縦及び横方向に並べられて配置されている複数の患者毎の各お薬カレンダーから、それらの中の各薬剤収容部を各服用日若しくは服用回別に複数の患者を横断するように纏める際に使用される収容部切り離し纏め用具であって、前記お薬カレンダーを載置する載置部であって前記お薬カレンダー中の各収容部間の隙間に対応する凹部（溝状のものを含む）を有する載置部と、前記お薬カレンダー中の各収容部間の隙間の破断又は切断による各収容部の分離を行う先端部を含み、前記先端部が前記お薬カレンダーの前方から前記各収容部間の隙間及び前記載置部の凹部内に移動する過程で前記各収容部間をそれらの間の隙間から同時に又は順次分離する分離部とを備えたものである。
【００１２】
また、本発明による収容部切り離し纏め用具においては、さらに、前記分離部の後方側（前記分離部がお薬カレンダー方向に移動するときの後方側）に配置された保持部であって複数の収容部を積層可能に保持する保持部を備えたものであってもよい。
【００１３】
また、本発明による収容部切り離し纏め用具において、前記分離部の先端部は、それが対向する前記お薬カレンダーの各収容部間の隙間の長手方向と直交する方向の前記移動方向に沿う断面が、前記移動方向の先端に近づくにつれて徐々に幅が小さくなるように、形成されていてもよい。
【００１４】
さらに、本発明による収容部切り離し纏め用具において、前記分離部の先端部は、前記移動方向と直交する方向に対して、少なくとも部分的に傾斜又は湾曲するように形成されていてもよい。
【発明の効果】
【００１５】
本発明による複数の患者毎のお薬カレンダーから各薬剤収容部を特定の又は各服用日若しくは服用回用に複数の患者を横断するように纏める方法においては、複数の患者の各お薬カレンダーから、各収容部を、前記縦及び横方向に並べられた状態（各収容部の相互の位置関係、すなわち各収容部の各服用回との関係）が維持されるように又は同位置関係が分かるように、互いに分離し（手動により又は機械により自動的に、互いに分離し）、前記互いに分離された各患者毎の各収容部を、各服用日若しくは服用回別に、複数の患者に渡り横断的に纏め（手動により又は機械により自動的に纏め）、前記特定の又は各服用日若しくは服用回別に纏められた複数の患者の各収容部を一つの容器に配置する（手動により又は機械により自動的に配置する）ようにしたので、或る一つ又は複数の服用回（服用時間帯内）において多数の患者がそれぞれ服用する必要がある薬剤収容部を、多数の患者を横断して当該服用回又は服用日用に纏めて容器内に配置する（より望ましくは一覧できるように配置する）ことができる。よって、本発明によれば、介護施設などのように多数の患者が集団で一律的に生活又は活動する場において少数の介助者が多数の患者が略同一時間帯内に速やかに一斉に誤り無く服薬するように多数の患者を介助すること（介護施設などの集団で一律的に生活又は活動する場において多数の患者が略同一時間帯内に速やかに一斉に誤り無く服薬すること）を容易にするという新規な課題を、適切に解決できるようになる。特に前記各ステップから成る一連の動作を自動化したときは、前記介護施設などの集団で生活又は活動する場において多数の患者が略同一時間帯内に速やかに一斉に誤りなく服薬するための作業が大幅に効率化されるようになる。
【００１６】
また、本発明による複数の患者毎のお薬カレンダーから各薬剤収容部を特定の又は各服用日若しくは服用回用に複数の患者を横断するように纏める方法においては、複数の患者とその各お薬カレンダーに含まれる各服用日若しくは服用回又はその服薬に関する情報（各収容部にバーコード等で表示されている情報）を予め記録しておき、複数の患者の各お薬カレンダーから、或る服用回に対応する薬剤を収容した収容部を同時に又は順次取り外し（手動により又は機械により自動的に取り外し）、前記取り外した或る服用回に対応する複数の患者用の各収容部を、特定の又は各服用日若しくは服用回別に、複数の患者に渡り横断的に纏めて（手動により又は機械により自動的に纏めて）一つの容器に配置する（より望ましくは一覧可能に並べて配置する）と共に、前記纏められた（前記纏められた後に容器に配置される前の又は同配置された後の）各収容部に表示された当該各患者の識別データ及び当該服用日若しくは服用回又はその服薬に関する情報（各収容部にバーコード等で表示された情報）を読み取り（イメージセンサ等により画像として取り込んで文字又は記号等として認識し）、前記読み取った複数の患者の識別データ及び当該服用日若しくは服用回又はその服薬に関する情報を、予め記録しておいた複数の各患者及び各服用日若しくは服用回又はその服薬に関する情報と比較又は照合するようにしている。
【００１７】
すなわち、前記発明では、複数の患者が或る服用回においてそれぞれ服用すべき各薬剤の収容部であって前記纏められた（前記纏められた後に容器に配置される前の又は同配置された後の）複数の収容部中の各患者の識別データ及び当該服用日若しくは服用回又はその服薬に関する情報（各収容部にバーコード等で表示された情報）を、順次（又は一覧で一度に）カメラ又はスキャナなどから構成される読み取り部が読み取り（画像として取り込んで文字又は記号等として認識し）、ＣＰＵなどから構成される制御部が、前記読み取られた情報（各収容部にバーコード等で表示された情報）と、ハードディスクなどから構成される記録部に予め記録されている各患者及び各服用日若しくは服用回又はその服薬に関する情報（各収容部にバーコード等で表示されている情報）とを、比較・照合し、不適合があるかどうかを判定するようにしている（さらに、もし不適合がある場合、前記制御部が、スピーカ又はディスプレイなどから構成される出力部を制御して所定の出力を行うようにしてもよい）。よって、前記発明によれば、介護施設などの集団で生活又は活動する場において多数の患者が略同一時間帯内に速やかに一斉に誤り無く服薬すること（介助者が多数の患者を前述のような一斉の服薬を行うように介助すること）を容易にするという新規な課題を適切に解決できるだけでなく、多数の患者が集団で略同一時間帯内に一斉に服薬する際の服薬ミスを確実に防止することができるようになる。また特に前記各ステップから成る一連の動作を自動化したときは、前記介護施設などの集団で生活又は活動する場において多数の患者が略同一時間帯内に速やかに一斉に誤りなく服薬するための作業が大幅に効率化されるようになる。
【００１８】
また、本発明による収容部切り離し纏め用具においては、前記分離部を、前記載置部に載置されているお薬カレンダーに対して、前記お薬カレンダーの前方（上側）から前記各収容部間の隙間及び前記載置部の凹部内に移動させる（手動で又は機械により自動的に移動させる）ようにし、この過程で、前記各収容部間の隙間を同時に又は順次破断又は切断させ、各収容部を互いに分離するようにしたので、複数の患者毎のお薬カレンダーから、各薬剤収容部を、特定の又は各服用日若しくは服用回用に、複数の患者を横断するように纏める作業を、極めて容易に行えるようになる。
【００１９】
また、本発明による収容部切り離し纏め用具においては、前記分離部の後方側（前記分離部がお薬カレンダー方向に移動するときの後方側）に、複数の薬剤収容部を積層可能に保持する保持部を備えるようにしたので、前記分離部により互いに分離された各収容部が、各服用回に対応する位置関係（各収容部間の相互の位置関係）を維持したまま、しかも複数の各収容部が積層された状態で、前記保持部内に保持されるようになる（すなわち、各服用回に対応する複数の患者の各薬剤収容部が、各服用回毎に複数の患者を横断するように前記保持部内に積層して保持されるようになる）。よって、本発明に係る収容部切り離し纏め用具を使用したときは、複数の患者毎のお薬カレンダーから、各薬剤収容部を、特定の又は各服用日若しくは服用回用に、複数の患者を横断するように纏める作業が、極めて容易に行えるようになる。
【００２０】
また、特に本発明に係る収容部切り離し纏め用具において、前記分離部の先端部（前記分離部中の、前記お薬カレンダー中の前記各収容部間の隙間に対向する部分）を、それが対向する前記お薬カレンダーの各収容部間の隙間の長手方向と直交する方向の、前記移動方向に沿う断面が、前記移動方向の先端に近づくにつれて徐々に幅が小さくなるように形成したときは、前記分離部が前記お薬カレンダー中の前記各収容部間をその各隙間から互いに分離することを、極めて滑らかに行えるようになる。
【００２１】
また、特に本発明に係る収容部切り離し纏め用具において、前記分離部の先端部（前記分離部中の、前記お薬カレンダー中の前記各収容部間の隙間に対向する部分）を、前記移動方向と直交する方向に対して、少なくとも部分的に傾斜又は湾曲するように形成したときは、前記分離部が前記お薬カレンダー中の前記各収容部間をその各隙間から互いに分離することを、極めて滑らかに行えるようになる。
【図面の簡単な説明】
【００２２】
【図１】本発明の実施形態に係る複数の患者毎のお薬カレンダーから各薬剤収容部を特定の又は各服用日若しくは服用回用に複数の患者を横断するように纏める方法に使用するのに適した収容部切り離し纏め用具を示す斜視図である。
【図２】本実施形態に係る収容部切り離し纏め用具を示す斜視図である。
【図３】本実施形態に係る収容部切り離し纏め用具を示す略平面図である。
【図４】本実施形態に係る方法の対象となるお薬カレンダーの一例を示す斜視図である。
【図５】本実施形態に係る方法における収容部切り離し動作を行っているときの収容部切り離し纏め用具を示す斜視図である。
【図６】本実施形態に係る方法における収容部切り離し動作を行っているときの収容部切り離し纏め用具の一部を示す斜視図である。
【図７】本実施形態に係る方法における、複数の患者のお薬カレンダーから各薬剤収容部を分離し取り出す動作の一例を示す斜視図である。
【図８】本実施形態に係る方法における、複数の患者のお薬カレンダーから各薬剤収容部を分離し取り出す動作の一例を示す斜視図である。
【図９】本実施形態に係る方法における、複数の患者のお薬カレンダーから各薬剤収容部を分離し取り出す動作の一例を示す斜視図である。
【図１０】本実施形態に係る方法における、複数の患者のお薬カレンダーから各薬剤収容部を分離し取り出す動作の一例を示す斜視図である。
【図１１】本実施形態に係る方法における、複数の患者のお薬カレンダーから各薬剤収容部を分離し取り出す動作の一例を示す斜視図である。
【図１２】本実施形態に係る方法における、複数の患者のお薬カレンダーから各薬剤収容部を分離し取り出す動作の一例を示す斜視図である。
【図１３】本実施形態に係る方法における、複数の患者のお薬カレンダーから各薬剤収容部を分離し取り出す動作の一例を示す斜視図である。
【図１４】本実施形態に係る方法における、複数の患者のお薬カレンダーから各薬剤収容部を分離し取り出す動作の一例を示す斜視図である。
【図１５】本実施形態に係る方法における、複数の患者のお薬カレンダーから各薬剤収容部を分離し取り出す動作の一例を示す斜視図である。
【図１６】本実施形態に係る方法における、複数の患者のお薬カレンダーから各薬剤収容部を分離し取り出す動作の一例を示す斜視図である。
【図１７】本実施形態に係る方法における、複数の患者のお薬カレンダーから各薬剤収容部を分離し取り出す動作の一例を示す斜視図である。
【図１８】本実施形態に係る方法における、複数の患者のお薬カレンダーから各薬剤収容部を分離し取り出す動作の一例を示す斜視図である。
【図１９】本実施形態に係る方法における、複数の患者のお薬カレンダーから各薬剤収容部を分離し取り出す動作の一例を示す斜視図である。
【図２０】本実施形態に係る方法における、複数の患者のお薬カレンダーから各薬剤収容部を分離し取り出す動作の一例を示す斜視図である。
【図２１】本実施形態に係る方法における、複数の患者のお薬カレンダーから各薬剤収容部を分離し取り出す動作の一例を示す斜視図である。
【図２２】本実施形態に係る方法における、複数の患者のお薬カレンダーから各薬剤収容部を分離し取り出す動作の一例を示す斜視図である。
【図２３】本実施形態に係る方法における、複数の患者のお薬カレンダーから各薬剤収容部を分離し取り出す動作の一例を示す斜視図である。
【図２４】本実施形態に係る方法における、複数の患者のお薬カレンダーから各薬剤収容部を分離し取り出す動作の一例を示す斜視図である。
【図２５】本実施形態に係る方法における、複数の患者のお薬カレンダーから各薬剤収容部を分離し取り出す動作の一例を示す斜視図である。
【図２６】本実施形態に係る方法における、複数の患者のお薬カレンダーからそれぞれ取り出した或る服用回に対応する複数の各薬剤収容部を纏める動作の一例を示す斜視図である。
【図２７】本実施形態に係る方法における、複数の患者のお薬カレンダーからそれぞれ取り出した或る服用回に対応する複数の各薬剤収容部を纏める動作の一例を示す斜視図である。
【図２８】本実施形態に係る方法における、複数の患者のお薬カレンダーからそれぞれ取り出した或る服用回に対応する複数の各薬剤収容部を纏める動作の一例を示す斜視図である。
【図２９】本実施形態に係る方法における、複数の患者のお薬カレンダーからそれぞれ取り出した或る服用回に対応する複数の各薬剤収容部を纏める動作の一例を示す斜視図である。
【図３０】本実施形態に係る方法における、複数の患者のお薬カレンダーからそれぞれ取り出した或る服用回に対応する各薬剤収容部を纏める動作の一例を示す斜視図である。
【図３１】本実施形態に係る方法における、複数の患者のお薬カレンダーからそれぞれ取り出した或る服用回に対応する複数の各薬剤収容部を纏めた後に、それらの各薬剤収容部が対象とする複数の患者及び当該服用日若しくは服用回又はその服薬に関する情報（各収容部にバーコード等で表示された情報）と適合しているかどうかを確認、監査する動作等の一例を説明するための図である。
【図３２】従来より提案等されている、各患者別に作成されたお薬カレンダーとその使用方法を示す図である。
【発明を実施するための形態】
【００２３】
以下、本発明の実施形態に係る複数の患者毎のお薬カレンダーから各薬剤収容部を特定の又は各服用日若しくは服用回用に複数の患者を横断するように纏める方法及び当該方法に適した収容部切り離し纏め用具について、図面を用いて説明する。
【００２４】
まず、本実施形態での処理対象とされるお薬カレンダー１０は、図４に示すように、患者毎に各服用回に対応する薬剤を収容した収容部１０ａを、１日当たり３回又は４回などの複数回分として例えば４週間分となる例えば計２１回又は計２８回などの所定回数の各服用回にそれぞれ対応するように、縦及び横方向に並べて配置したものである。図４に示すように、お薬カレンダー１０中の各収容部１０ａは縦及び横方向に帯状に伸びる隙間（図４の符合１０ｂ参照）の部分を介して互いに分離（切り離し、切り取り等）可能とさており、この隙間１０ｂの中央には前記分離を容易にするためのミシン目が形成されている。また前記各収容部１０ａ中の図示下方の袋状部分（図４の符号１０ｃ参照）は、当該患者が各服用回毎に服用すべき薬剤を収容する柔軟素材から成る透明容器である。また、前記各収容部１０ａの一方の面（表面）には、図４に示すように、当該患者を示すバーコードなどの識別データと各服用回の日付け及び朝・昼・夕・寝る前などの各服用回（若しくは各服用日）又はその服薬に関する情報などが、印刷等により表示されている。患者は、これらの情報が表示された面のシート（例えば紙製シート）を指などで引き剥がすことにより、前記各収容部１０ａの図示下側の袋状部分１０ｃに収容されている薬剤を、取り出して服用する。
【００２５】
次に、図１〜３は本実施形態における収容部切り離し纏め用具及びそれを構成する各部品を示す図である。本実施形態の収容部切り離し纏め用具は、図１〜３に示すように、お薬カレンダーが載置される載置台１、前記載置されたお薬カレンダー（図４の符号１０参照）中の各収容部（図４の符号１０ａ参照）を互いに分離（互いに切り離す、切り取る等）し且つ各服用回別に纏めて保持する分離保持器２、互いに分離され各服用回別（又は各服用日別）に纏められた各収容部１０ａが一覧可能に配置される一覧配置台３とから構成されている。なお、図１中、４は前記分離保持器２に保持された或る服用回（又は或る服用日）に対応する複数の患者の収容部を、前記一覧配置台３に並べる前に一時的に収容する箱である。
【００２６】
次に、前記載置台１について説明する。図１〜３において、１ａは前記載置台１中において縦及び横方向に並ぶように複数配置される略箱状の枠体（後記各凹部１ｂを構成する枠体）、１ｂは前記お薬カレンダー１０が前記載置台１上に載置されたとき前記各収容部１０ａ中の袋状部分１０ｃ（図４参照）がそれぞれ挿入、配置される凹部、１ｃは前記各枠体１ａの間（すなわち前記各凹部１ｂの間）を図の縦及び横方向に格子状に延びる溝部、１ｄは前記各枠体１ａの外周側に対して所定の隙間を介して配置されている外枠である。以上のような各要素１ａ〜１ｄが例えばプラスチック材料により一体成形されることにより前記載置台１が構成されている。
【００２７】
次に、前記分離保持器２について説明する。図１〜３において、２ａは所定の高さ（図１の符号ａ参照）を有する本体部、２ｂは前記載置台１中の格子状の溝部１ｃに対向するように形成された格子状の帯状突部（図５に示す分離保持器２の図示下端部を参照。図２及び図３も参照）、２ｃは前記載置台１中の各凹部１ｂにそれぞれ対向するように形成された複数の保持用空洞部（図２及び３も参照）である。前記分離保持器２は、それが前記載置台１上に載置されたお薬カレンダー１０の方向に移動されるとき、すなわち前記分離保持器２の先端部に係る帯状突部２ｂが前記載置台１上に載置された前記お薬カレンダー１０の帯状隙間１０ｂ（特にその中央のミシン目）及びその下方の前記帯状凹部１ｃ内まで移動する過程（図５参照）で、前記各帯状隙間１０ｂ（特に前記ミシン目）を破断又は切断して各収容部１０ａを互いに分離する動作を行う。前記各帯状隙間１０ｂの破断等により互いに分離された各収容部１０ａは、前記保持用空洞部２ｃ内に、そのまま、すなわち前記お薬カレンダー１０中における各収容部１０ａの相互間の位置関係（各収容部１０ａの各服用回に対応した位置関係）を維持したまま、保持される（図６参照）。このような保持が可能なのは、前記各保持用空洞部２ｃが、その中に各収容部１０ａを挿入でき且つ挿入された後には前記各収容部１０ａが摩擦等により容易に移動（脱落）しないような形状及びサイズに形成されているためである。以上のような各要素２ａ〜２ｃが例えばプラスチック材料により一体成形されることにより前記分離保持器２が構成されている。
【００２８】
図５は、前記分離保持器２が前記載置台１上に載置されたお薬カレンダー１０の方向に移動されるときの動作を説明するための図である。図５に示すように、前記移動の過程で、前記分離保持器２の図示下端部（先端部）の帯状突部２ｂは、前記お薬カレンダー１０の帯状隙間１０ｂ（特にその中央のミシン目）を破断又は切断する。これにより、前記各収容部１０ａは互いに分離される。そして、その後、前記帯状突部２ｂは、前記載置台１の前記溝部１ｃの中に挿入される。
【００２９】
また図６は、前記分離保持器２が、複数の患者のお薬カレンダー１０からそれぞれ分離された各収容部１０ａを、前記各収容部１０ａの相互の位置関係（前記各収容部１０ａの各服用回との対応関係）を維持したまま積層された状態で保持する動作を説明するための図である。図６に示すように、前記互いに分離された各収容部１０ａは、それら各収容部１０ａの相互の位置関係（前記お薬カレンダー１０中で配置されていた位置関係）を維持したまま、前記保持用空洞部２ｃ内に保持される。そして、前記分離保持器２の帯状突部２ｂにより前記お薬カレンダー１０の帯状隙間１０ｂの破断等と当該破断等により分離された各収容部１０ａの前記保持用空洞部２ｃ内での保持の動作（作業）は、複数の患者の各お薬カレンダー１０に対して、順次、連続的に行われる。よって、複数の患者の各お薬カレンダー１０から順次分離された前記各収容部１０ａは、複数の患者のお薬カレンダーから分離される毎に、順次、積層されながら、前記保持用空洞部２ｃ内に保持されていく（図６参照）。
【００３０】
なお、前記分離保持器２の保持用空洞部２ｃ内でどのくらいの個数の収容部１０ａを積層された状態で保持できるかは、前記分離保持器２の保持用空洞部２ｃの高さ寸法（図１の符号ａ参照）との関係で決まることである。すなわち、前記保持用空洞部２ｃ内に複数の収容部１０ａが順次積層されても、その積層が多数個に及び、他の収容部１０ａが前記保持用空洞部２ｃの外に押し出されるに至るまでは、前記各収容部１０ａの前記保持用空洞部２ｃ内での積層状態での保持が可能である。よって、前記保持用空洞部２ｃの高さ寸法ａを調整することにより、前記分離保持器２の保持用空洞部２ｃ内でどのくらいの個数の収容部１０ａを積層された状態で保持できるかを、調整することができる。
【００３１】
ここで、前記分離保持器２の構成について補足的に説明する。前述のように、前記分離保持器２は、お薬カレンダー１０側に移動する過程で前記お薬カレンダー１０の帯状隙間１０ｂ（特にその中央のミシン目）を破断又は切断するように動作する。このような動作を行う前記分離保持器２中の帯状突部２ｂは、図２に示すように、前記お薬カレンダー１０の帯状隙間１０ｂの長手方向と直交する方向で且つ前記移動方向に沿う断面が前記移動方向の先端に近づくにつれて徐々に幅が小さくなるように、すなわち先端が少し尖っているように形成されている。また、前述のような動作を行う前記分離保持器２中の帯状突部２ｂは、図２の斜視図に示すように、前記分離保持器２のお薬カレンダー方向への移動方向と直交する方向に対して少なくとも部分的に傾斜又は湾曲するように形成されている。このような構成により、本実施形態では、前記分離保持器２の帯状突部２ｂが、お薬カレンダー１０側に移動する過程で、前記帯状突部２ｂの先が尖っていて且つ部分的に傾斜又は湾曲している先端部分が、前記お薬カレンダー１０の帯状隙間１０ｂ（特にその中央のミシン目）を破断又は切断する動作を、滑らかに行えるようになっている。
【００３２】
次に、前記一覧配置台３について説明する。図１〜３において、３ａは略格子状に延びる枠体、３ｂは前記略格子状の枠体３ａにより囲まれるように形成された多数個の凹部（孔部）である。前記多数個の凹部３ｂには、前記お薬カレンダー１０の各収容部１０ａ（特にその中の前記袋状部分１０ｃ）が挿入、配置可能となっている。よって、前記一覧配置台３に、多数個の各収容部１０ａを配置することにより、或る服用回又は服用日（特定の服用回又は服用日）だけに対応する多数の患者の各薬剤収容部を一覧可能に配置することが可能になる。以上のような各要素３ａ及び３ｂなどが例えばプラスチック材料により一体成形されることにより前記一覧配置台３が構成されている。
【００３３】
次に本実施形態における前記お薬カレンダー中の各収容部の分離、保持及び一覧可能な配置に至るまでの動作、すなわち、介護施設などの集団での生活又は活動の場において、多数の患者毎のお薬カレンダー中から各収容部１０ａを互いの位置関係が保持されまま（すなわち各収容部１０ａとその服用回との対応関係が分かるように）分離、保持し、各服用回（若しくは各服用日）別に一覧可能に配置するときの動作を、図７〜３０を参照して説明する。
【００３４】
図１に示すような載置台１、分離保持器２及び一覧配置台３が配置されている状態で、まず、前記お薬カレンダー１０を前記載置台１上に載置する（図７，８参照）。次に、前記分離保持器２を取って（図９参照）、前記分離保持器２の各保持用空洞部２ｃ（図２など参照）が前記お薬カレンダー１０中の各収容部１０ａ（図４参照）の上でこれと対向し、且つ同各帯状突部２ｂ（図２など参照）が前記お薬カレンダー１０中の帯状隙間１０ｂ（図４参照）の上でこれと対向するように配置する（図１０参照。なお図１０では手動で配置しているが機械により自動化してもよい）。
【００３５】
その後、前記分離保持器２を図示上方から前記お薬カレンダー１０方向に押圧する（図１１参照。なお図１１では手動で押圧しているが機械により自動化してもよい）。この押圧の過程で、前記分離保持器２の図示下端にある帯状突部２ｂが前記お薬カレンダー１０の各収容部１０ａ間の帯状隙間１０ｂを破断して前記溝部１ｃの中に挿入される（図１２参照）。この前記お薬カレンダー１０の帯状隙間１０ｂの破断により、前記各収容部１０ａは、互いに分離されるが、このとき、前記分離された各収容部１０ａは、分離前における各収容部１０ａの相互の位置関係（すなわち各収容部１０ａの各服用回との対応関係が分かる位置関係）を維持したまま、前記分離保持器２の保持用空洞部２ｃの中に挿入、保持される（図１２参照）。
【００３６】
次に、このようにして前記各保持用空洞部２ｃの中に前記各収容部１０ａが挿入、保持された分離保持器２を、前記載置台１から取り外す（図１３〜１４参照。なお図１３〜１４では手動で取り外しているが機械により自動化してもよい）。この取り外された分離保持器２には、その各保持用空洞部２ｃの中に、前記の互いに分離された各収容部１０ａが挿入、保持されている（図１５参照）。
【００３７】
その後、さらに、前述の図７〜１５を参照して示した一連の動作と同様の動作、すなわち、前記載置台１へのお薬カレンダー１０の載置（図１６参照）、前記載置台１上のお薬カレンダー１０の上への前記分離保持器２の配置及び前記分離保持器２の前記お薬カレンダー１０方向への移動、押圧、及びこれによる前記各収容部１０ａの分離と各収容部１０ａの前記保持用空洞部２ｃ内への挿入及び保持（図１７〜１８参照）、並びに前記分離保持器２の前記載置台１からの取り外し（図１９〜２０参照）を行う。
【００３８】
以上の図１６〜２０を参照して述べた今回の一連の動作と、図７〜１５を参照して前述した前回の一連の動作との違いは、今回の一連の動作（図１６〜２０参照）においては、前記分離保持器２の各保持用空洞部２ｃの中にそれぞれ各収容部１０ａ（１人の患者のお薬カレンダー１０から分離された各収容部１０ａ）が既に挿入、保持されていたことである。よって、図１６〜２０を参照して述べた今回の一連の動作の結果、前記分離保持器２の各保持用空洞部２ｃの中には、前記の前回の一連の動作により既に保持されていた一人の患者の各収容部１０ａに加えて、他のもう１人の患者の各収容部１０ａも、積層されながら、保持された。
【００３９】
その後、さらに、前述の図７〜１５及び図１６〜２０を参照してそれぞれ示した一連の動作と同様の動作、すなわち、前記載置台１へのお薬カレンダー１０の載置（図２１参照）、前記載置台１上のお薬カレンダー１０の上への前記分離保持器２の配置及び前記分離保持器２の前記お薬カレンダー１０方向への移動、押圧、及びこれよる各収容部１０ａの分離と各収容部１０ａの前記保持用空洞部２ｃ内への挿入及び保持（図２２〜２３参照）、並びに前記分離保持器２の前記載置台１からの取り外し（図２４〜２５参照）を行う。
【００４０】
以上の図２１〜２５を参照して述べた今回の一連の動作と、図７〜１５を参照して前述した前々回の一連の動作、及び図１６〜２０を参照して前述した前回の一連の動作との違いは、今回の一連の動作（図２１〜２５参照）では、前記分離保持器２の各保持用空洞部２ｃの中にそれぞれ計２人の患者がそれぞれ服用すべき計２個の各収容部１０ａ（２人の患者のお薬カレンダー１０からそれぞれ分離された計２個の各収容部１０ａ）が既に挿入、保持されていたことである。よって、図２１〜２５を参照して述べた今回の一連の動作の結果、前記分離保持器２の各保持用空洞部２ｃの中には、前記の前々回及び前回の各一連の動作により既に保持されていた２人の患者用の計２個の各収容部１０ａに加えて、さらに他のもう１人の患者用の各収容部１０ａも、積層されながら、保持された。
【００４１】
以上のように、本実施形態では、前述のような一連の動作を任意の回数（但し、前述のように、前記分離保持器２の高さ寸法（図１のａ参照）との関係で、前記各保持用空洞部２ｃ内に保持された複数の収容部１０ａの一部が外部に押し出されてしまうまでの回数）だけ繰り返すことにより、前記分離保持器２の各保持用空洞部２ｃの中に複数個の各収容部１０ａが積層された状態で保持される。
【００４２】
前述のような一連の動作が何回か繰り返され、前記分離保持器２の各保持用空洞部２ｃの中に任意の個数の各収容部１０ａが積層されたときは、その後、前記複数個の収容部１０ａが前記各保持用空洞部２ｃ中に積層されて保持されている分離保持器２を、取り出す（図２６参照）。そして、この取り出した前記分離保持器２の中の１つの保持用空洞部２ｃに対し、例えば、押し出し棒５の先端部５ａを図示上方から挿入することにより、前記保持用空洞部２ｃの中から、複数個の各収容部１０ａを取り出し、前記箱４中に放出させる（図２７，２８参照。なお図２７，２８では手動で取り出しているが機械により自動化してもよい）。このようにして前記箱４中に放出された複数個の各収容部１０ａは、複数の患者が同一の服用回（服用時間帯）にそれぞれ服用すべき複数の薬剤収容部１０ａである。
【００４３】
次に、前記各保持用空洞部２ｃから取り出されて前記箱４の中に放出された、複数の患者が同一の服用回（又は服用日）にそれぞれ服用すべき複数の薬剤収容部１０ａを、前記一覧配置台３の各凹部３ｂ（図１など参照）中に配置して、一覧可能にする（図２９，３０参照）。
【００４４】
次に、前記一覧配置台３上に配置された、複数の患者が同一の服用回（若しくは服用日）にそれぞれ服用する複数の薬剤収容部１０ａについて、それらが本当に前記複数の患者が当該服用回（若しくは服用日）にそれぞれ服用すべき薬剤を収容した収容部１０ａであるのかどうかを確認する監査を行う。具体的には、前記一覧配置台３上に配置された複数の薬剤収容部１０ａの患者の識別データ（バーコードなど）及び各服用回（若しくは各服用日）又はその服薬に関する情報（日付け、曜日、朝・昼・夕・寝る前などを示す文字、バーコード等）を、スキャナ又はカメラ等から構成される読み取り器（図示省略）により読み取り認識する（図３１参照）。その後、この読み取られた（文字又は記号等として認識された）前記複数の薬剤収容部１０ａに対応する患者の識別データ及び各服用回（若しくは各服用日）又はその服薬に関する情報と、事前に記録部（図示省略）に記録しておいた各患者の識別データ及び各服用回（若しくは各服用日）又はその服薬に関する情報とを制御部（図示省略）において比較、照合し、互いに適合しているかどうかを判定し、その判定結果を出力する。もし不適合であれば、そのことを示すアラーム情報も、スピーカ又はディスプレイなどの出力部（図示省略）により出力する。なお、図３１では、図示右側の図の下方で「裏返してスキャナでバーコード認識」と記載しているが、この「裏返して」に係る動作は、前記一覧配置台３上に配置された複数の薬剤収容部１０ａ中の患者の識別データ及び服用回等に関する情報が表示された面が、そのままではスキャナ又はカメラ等で読み取り（文字又は記号等として認識）できない場合などに必要となる動作である。
【００４５】
以上に説明したように、本実施形態においては、複数の患者毎の各お薬カレンダー１０から、各収容部１０ａを、前記縦及び横方向に並べられた状態（各収容部１０ａの相互の位置関係）が維持されたままとなるように、互いに分離し、このように分離された前記各患者毎の各収容部１０ａを、各服用回（若しくは各服用日）別に、複数の患者に渡り横断的に纏め、前記各服用回（若しくは各服用日）別に纏められた複数の患者の各収容部１０ａを前記一覧載置台３内に一覧可能に並べて配置するようにしている（図３０参照）。したがって本実施形態においては、或る一つの服用回（若しくは服用日）において多数の患者がそれぞれ服用する必要がある薬剤収容部１０ａを、多数の患者を横断して一覧できるように当該服用回（若しくは当該服用日）用に纏めて前記一覧載置台３内に一覧可能に配置することができる。よって、本実施形態によれば、例えば介護施設などのように多数の患者が集団で一律的に生活又は活動する場において少数の介助者が多数の患者に対し多数の患者が略同一時間帯内に速やかに一斉に誤り無く服薬するように介助する（介護施設などの集団で生活又は活動する場において多数の患者が略同一時間帯内に速やかに一斉に誤り無く服薬する）ことが従来は難しかったという新規な課題を、適切に解決できるようになる。
【００４６】
また、本実施形態においては、複数の患者とその各お薬カレンダー１０に含まれる各服用回に関する服薬等の情報を記録しておき、複数の各患者のお薬カレンダー１０から、或る服用回に対応する薬剤を収容した収容部１０ａを同時に又は順次取り外し（分離し）、前記取り外した或る服用回に対応する複数の患者の各収容部１０ａを、各服用回（若しくは各服用日）別に、前記一覧載置台３内に一覧可能に並べて配置し、前記一覧載置台３内に一覧可能に配置された各収容部１０ａに表示された当該各患者の識別データ（バーコード等）及び当該服用回（若しくは服用日）又はその服薬に関する情報をスキャナ又はカメラ等により読み取り（画像として取り込んで文字又は記号等として認識し）、前記読み取った複数の患者の識別データ及び当該服用回（若しくは服用日）又はその服薬に関する情報を、予め記録しておいた複数の各患者及び各服用回（若しくは各服用日）又はその服薬に関する情報と比較又は照合するようにしている。すなわち、本実施形態では、複数の患者が或る服用回においてそれぞれ服用すべき各薬剤の収容部１０ａであって前記一覧載置台３内に一覧可能に配置された複数の収容部１０ａに関する各患者の識別データ及び当該服用回（若しくは服用日）又はその服薬に関する情報を、カメラ又はスキャナなどから構成される読み取り部（図示省略）が読み取り（画像として取り込んで文字又は記号等として認識し）、ＣＰＵなどから構成される制御部（図示省略）が、前記読み取られた（画像として取り込まれ文字又は記号等として認識された）情報と、ハードディスクなどから構成される記録部（図示省略）に予め記録されていた各患者及び各服用回（若しくは各服用日）又はその服薬に関する情報とを比較照合し、もし不適合があれば、前記制御部が、スピーカ又はディスプレイなどから構成される出力部（図示省略）を制御して何らかの出力（光出力を含む）を行い、これにより、前記一覧可能に配置された各収容部１０ａが当該複数の患者及び服用回に適合しているかどうかを有効に監査、確認できるようにした。よって、本実施形態によれば、介護施設などの集団で一律的に生活又は活動する場において多数の患者が略同一時間帯内に速やかに一斉に誤り無く服薬する（少数の介助者が多数の患者を前述のような一斉の服薬を行うように介助する）ことが従来は難しかったという新規な課題を適切に解決できるだけでなく、介護施設等において多数の患者が集団で略同一時間帯内に速やかに一斉に服薬する際の服薬ミスを確実に防止することができるようになる。
【００４７】
また、本実施形態に係る収容部切り離し纏め用具においては、前記分離保持器２（特にその先端部２ｂ）を、前記載置台１に載置されているお薬カレンダー１０に対して、前記お薬カレンダー１０の前方（図示上方）から前記各収容部１０ａ間の帯状隙間１０ｂ、さらに前記帯状凹部１ｃ側に移動させるようにし、その過程で、前記各収容部１０ａ間の帯状隙間１０ｂを同時に又は順次破断等して前記各収容部１０ａを互いに分離するようにしたので、複数の患者のお薬カレンダー１０から各薬剤収容部１０ａを複数の患者を横断するように各服用回（若しくは各服用日）別に纏める作業を、極めて容易に行えるようになる。
【００４８】
また、本実施形態による収容部切り離し纏め用具においては、前記分離保持器２の後方側（前記分離保持器２がお薬カレンダー１０の方向に移動するときの後方側）に、複数の収容部１０ａを積層可能に保持する保持用空洞部２ｃを備えるようにしている。したがって、本実施形態では、前記分離保持器２の先端部２ｂにより互いに分離された各収容部１０ａが、各服用回に対応する位置関係（各収容部１０ａ間の相互の位置関係）を維持したまま、複数の収容部１０ａが積層された状態で、前記保持用空洞部２ｃ内に保持される。すなわち、各服用回に対応する複数の患者の薬剤の各収容部１０ａが、複数の患者を横断するように前記保持用空洞部２ｃ内に積層して保持される。よって、本実施形態に係る収容部切り離し纏め用具を使用したときは、複数の患者のお薬カレンダー１０から各薬剤収容部１０ａを、各服用回（若しくは各服用日）別に、複数の患者を横断するように纏める作業が、極めて容易に行えるようになる。
【００４９】
また、特に本実施形態に係る収容部切り離し纏め用具においては、前記分離保持器２の先端部の帯状突部２ｂ（前記分離保持器２の、前記お薬カレンダー１０中の前記各収容部１０ａ間の帯状隙間１０ｂに対向する部分）を、前記お薬カレンダーの各収容部間の隙間の長手方向と直交する方向で且つ前記移動方向に沿う断面が、前記移動方向の先端に近づくにつれて徐々に幅が小さくなるように形成したので、前記分離保持器２の帯状突部２ｂが前記お薬カレンダー中の前記各収容部１０ａ間の帯状隙間１０ｂを破断等して前記各収容部１０ａを互いに分離する動作を、極めて滑らかに行えるようになる。
【００５０】
また、特に本実施形態に係る収容部切り離し纏め用具においては、前記分離保持器２の先端部の帯状突部２ｂ（前記分離保持器２の、前記お薬カレンダー１０中の前記各収容部１０ａ間の帯状隙間１０ｂに対向する部分）を、前記移動方向と直交する方向に対して、少なくとも部分的に傾斜又は湾曲するように形成したので、前記分離保持器の帯状突部２ｂが前記お薬カレンダー１０中の前記各収容部１０ａ間の帯状隙間１０ｂを破断等して前記各収容部１０ａを互いに分離する動作を、極めて滑らかに行えるようになる。
【００５１】
以上、本発明の実施形態について説明したが、本発明は前記実施形態として述べたものに限定されるものではなく、様々な修正及び変更が可能である。例えば、前記実施形態では、複数の患者のお薬カレンダーを一枚ずつ前記載置部１上に載置して前記分離保持器２により前記一枚のお薬カレンダー１０から前記各収容部１ａを互いに分離するようにしているが、本発明では、複数の患者のお薬カレンダー１０の複数枚を前記載置部１上に重ねて載置するようにし、これら複数枚のお薬カレンダー中の各収容部１ａを前記分離保持器２により一度に（一斉に）互いに分離するようにしてもよい。また、前記実施形態では、主として、複数の患者毎のお薬カレンダーから各薬剤収容部を特定の各服用回別に複数の患者を横断するように纏める方法及びそれに適した収容部切り離し纏め用具として説明したが、本発明では、複数の患者毎のお薬カレンダーから各薬剤収容部を特定の各服用日（３回又は４回の服用回を含む服用日）別に複数の患者を横断するように纏める方法及びそれに適した収容部切り離し纏め用具としてもよく、この場合は、前記配置ステップは、特定の各服用日（３回又は４回の服用回を含む各服用日）別に複数の患者用の各収容部を一覧可能に配置するステップとなる。
【００５２】
さらに、前記実施形態においては、前記載置台１へのお薬カレンダー１０の載置（図７〜９など参照）、前記載置台１上のお薬カレンダー１０の上への前記分離保持器２の配置、前記分離保持器２の前記お薬カレンダー１０への移動、押圧、各収容部１０ａの分離及び前記保持用空洞部２ｃへの積層保持（図１０〜１２など参照）、前記分離保持器２の前記載置台１からの取り外し（図１３〜１４など参照）、前記分離保持器２の保持用空洞部２ｃ内に積層されて保持されている各収容部１０ａの取り出し（図２７〜２８など参照）、並びに前記取り出した各収容部１０ａの前記箱４などを介しての前記一覧載置台３への一覧可能な配置（図２９〜３０など参照）などの各動作を、いずれも手動で行う例を紹介したが、本発明はこれに限られるものではなく、上記各動作の一部又は全部を機械により自動的に行うようにしてもよいことは勿論である。また、特に、本発明において、前記各収容部に表示された患者及びその服薬に関する情報を読み取るステップを自動化した場合は、前記容器に一覧可能に並べて配置された各収容部にそれぞれ表示された患者、服用日又は服用回、及び服薬に関する情報を一覧で一度に読み取ることも、前記纏められた各収容部（前記纏められて容器に配置される前の又は容器に配置された後の各収容部）に表示された患者、服用日又は服用回、及び服薬に関する情報を順次（一覧の状態ではなく個々的に順次）読み取ることも、いずれでも作業効率を低下させることなく可能になる。
【符号の説明】
【００５３】
１    載置台
１ａ  載置台の枠体
１ｂ  載置台の凹部
１ｃ  載置台の溝部
２    分離保持器
２ｂ  分離保持器の帯状突部（図示下方の先端部）
２ｃ  分離保持器の保持用空洞部
３    一覧配置台
３ａ  一覧配置台の枠体
３ｂ  一覧配置台の凹部
４    箱
５    押し出し棒
５ａ  押し出し棒の先端部
１０  お薬カレンダー
１０ａ お薬カレンダーの薬剤収容部
１０ｂ お薬カレンダーの帯状隙間
１０ｃ お薬カレンダーの袋状部分
【図１】
2020110233.tif 000003
【図２】
2020110233.tif 000004
【図３】
2020110233.tif 000005
【図４】
2020110233.tif 000006
【図５】
2020110233.tif 000007
【図６】
2020110233.tif 000008
【図７】
2020110233.tif 000009
【図８】
2020110233.tif 000010
【図９】
2020110233.tif 000011
【図１０】
2020110233.tif 000012
【図１１】
2020110233.tif 000013
【図１２】
2020110233.tif 000014
【図１３】
2020110233.tif 000015
【図１４】
2020110233.tif 000016
【図１５】
2020110233.tif 000017
【図１６】
2020110233.tif 000018
【図１７】
2020110233.tif 000019
【図１８】
2020110233.tif 000020
【図１９】
2020110233.tif 000021
【図２０】
2020110233.tif 000022
【図２１】
2020110233.tif 000023
【図２２】
2020110233.tif 000024
【図２３】
2020110233.tif 000025
【図２４】
2020110233.tif 000026
【図２５】
2020110233.tif 000027
【図２６】
2020110233.tif 000028
【図２７】
2020110233.tif 000029
【図２８】
2020110233.tif 000030
【図２９】
2020110233.tif 000031
【図３０】
2020110233.tif 000032
【図３１】
2020110233.tif 000033
【図３２】
2020110233.tif 000034
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
患者毎に日付又は曜日と時間帯により特定される各服用回にそれぞれ対応する薬剤を収容した収容部を、１日当たり３回又は４回などの複数回分として例えば４週間分などとなる例えば計２１回又は計２８回などの所定回数の各服用回にそれぞれ対応するように、縦及び横方向に並べて配置したお薬カレンダーを用意しておき、
複数の患者用の各お薬カレンダーについてそれぞれ、前記各お薬カレンダー中に縦及び横方向に並べられた各収容部間を連結する各隙間の全体を一度に破断又は切断して前記縦及び横方向の各収容部の全部を一度に互いに分離することを順次繰り返しながら、当該各分離後の各収容部を、それらが当該各分離前の各収容部同士の前記縦及び横方向の位置関係に対応するように順次保持するようにして、複数の各患者用の各収容部を特定の又は各服用日若しくは服用回別に複数の患者に渡り横断的に纏める分離及び纏めステップと、
前記各分離され纏められた複数の各患者用の各収容部を、特定の又は各服用日若しくは服用回用に、複数の患者に渡り横断的に一つの容器に配置する配置ステップと
を含み、集団で生活又は活動する場において複数の患者が同一時間帯内に一斉に誤り無く服薬することを容易にするための、複数の患者毎のお薬カレンダーから各薬剤収容部を特定の又は各服用日若しくは服用回用に複数の患者を横断するように纏める方法。
【請求項２】
前記配置するステップは、前記纏められた複数の患者用の各収容部を、特定の又は各服用日若しくは服用回用に、複数の患者に渡り横断的に一つの容器に一覧可能に並べて配置するものであることを特徴とする請求項１に記載の複数の患者毎のお薬カレンダーから各薬剤収容部を特定の又は各服用日若しくは服用回用に複数の患者を横断するように纏める方法。
【請求項３】
前記纏められて容器に配置される前の各収容部又は前記纏められて容器に配置された後の各収容部に表示されている、当該各患者の識別データ及び当該服用日若しくは服用回又はその服薬に関してバーコード等で示される情報を読み取るステップと、
前記読み取った各患者の識別データ及び当該服用日若しくは服用回又はその服薬に関してバーコード等で示される情報を、予め記録されている複数の各患者及び各服用日若しくは服用回又はその服薬に関する情報と比較又は照合するステップと
をさらに含むことを特徴とする請求項１又は２に記載の複数の患者毎のお薬カレンダーから各薬剤収容部を特定の又は各服用日若しくは服用回用に複数の患者を横断するように纏める方法。
【請求項４】
「患者毎に日付又は曜日と時間帯により特定される各服用回にそれぞれ対応する薬剤を収容した収容部が１日当たり３回又は４回などの複数回分として例えば４週間分などとなる例えば計２１回又は計２８回などの所定回数の各服用回にそれぞれ対応しながら縦及び横方向に並ぶ状態となるように、前記各収容部を互いに所定の隙間を介して連結して成るお薬カレンダー」が載置されたときに前記お薬カレンダー中の各収容部に対向する部分と前記各収容部間の隙間に対向する部分とを含み、前記各収容部間の隙間に対向する部分には前記隙間中の後記分離部により破断又は切断される部分が対向可能な平面格子状の溝部が形成されている載置部と、
前記載置部中の溝部に対向可能に形成された平面格子状の先端部を含み、前記先端部が前記載置部に載置されたお薬カレンダーと対向する側から前記お薬カレンダーの各収容部間の隙間及び前記載置部中の溝部内に移動する過程で前記各収容部間を前記隙間から互いに分離する分離部と
を備えたお薬カレンダーの収容部切り離し纏め用具。
【請求項５】
前記分離部は、前記分離後の収容部を保持するものである請求項４に記載の収容部切り離し纏め用具。
【請求項６】
前記分離部の先端部は、それが対向する前記お薬カレンダーの各収容部間の隙間の長手方向と直交する方向で且つ前記移動の方向に沿う断面が、前記移動方向の先端に近づくにつれて徐々に幅が小さくなるように、形成されている請求項４又は５に記載の収容部切り離し纏め用具。
【請求項７】
前記分離部の先端部は、前記移動の方向と直交する方向に対して少なくとも部分的に傾斜又は湾曲するように形成されている請求項４から６までのいずれかに記載の収容部切り離し纏め用具。
【手続補正２】
【補正対象書類名】明細書
【補正対象項目名】０００８
【補正方法】変更
【補正の内容】
【０００８】
以上のような新規な課題を解決するための本発明による複数の患者毎のお薬カレンダーから各薬剤収容部を特定の又は各服用日若しくは服用回用に複数の患者を横断するように纏める方法は、患者毎に日付又は曜日と時間帯により特定される各服用回にそれぞれ対応する薬剤を収容した収容部を、１日当たり３回又は４回などの複数回分として例えば４週間分などとなる例えば計２１回又は計２８回などの所定回数の各服用回にそれぞれ対応するように、縦及び横方向に並べて配置したお薬カレンダーを用意しておき、複数の患者用の各お薬カレンダーについてそれぞれ、前記各お薬カレンダー中に縦及び横方向に並べられた各収容部間を連結する各隙間の全体を一度に破断又は切断して前記縦及び横方向の各収容部の全部を一度に互いに分離することを順次繰り返しながら、当該各分離後の各収容部を、それらが当該各分離前の各収容部同士の前記縦及び横方向の位置関係に対応するように順次保持するようにして、複数の各患者用の各収容部を特定の又は各服用日若しくは服用回別に複数の患者に渡り横断的に纏める分離及び纏めステップと、前記各分離され纏められた複数の各患者用の各収容部を、特定の又は各服用日若しくは服用回用に、複数の患者に渡り横断的に一つの容器に配置する配置ステップとを含むものである。
【手続補正３】
【補正対象書類名】明細書
【補正対象項目名】００１１
【補正方法】変更
【補正の内容】
【００１１】
また、本発明による収容部切り離し纏め用具は、「患者毎に日付又は曜日と時間帯により特定される各服用回にそれぞれ対応する薬剤を収容した収容部が１日当たり３回又は４回などの複数回分として例えば４週間分などとなる例えば計２１回又は計２８回などの所定回数の各服用回にそれぞれ対応しながら縦及び横方向に並ぶ状態となるように、前記各収容部を互いに所定の隙間を介して連結して成るお薬カレンダー」が載置されたときに前記お薬カレンダー中の各収容部に対向する部分と前記各収容部間の隙間に対向する部分とを含み、前記各収容部間の隙間に対向する部分には前記隙間中の後記分離部により破断又は切断される部分が対向可能な平面格子状の溝部が形成されている載置部と、前記載置部中の溝部に対向可能に形成された平面格子状の先端部を含み、前記先端部が前記載置部に載置されたお薬カレンダーと対向する側から前記お薬カレンダーの各収容部間の隙間及び前記載置部中の溝部内に移動する過程で前記各収容部間を前記隙間から互いに分離する分離部とを備えるものである。
【手続補正４】
【補正対象書類名】明細書
【補正対象項目名】００１２
【補正方法】変更
【補正の内容】
【００１２】
また、本発明による収容部切り離し纏め用具において、前記分離部は、前記分離後の複数の収容部を保持するものであってもよい。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
「患者毎に日付又は曜日と時間帯により特定される各服用回にそれぞれ対応する薬剤を収容した収容部が１日当たり３回又は４回などの複数回分として例えば４週間分などとなる例えば計２１回又は計２８回などの所定回数の各服用回にそれぞれ対応しながら縦及び横方向に並ぶ状態となるように、前記各収容部を互いに所定の隙間を介して連結して成るお薬カレンダー」が載置されたときに前記お薬カレンダー中の各収容部に対向する部分と前記各収容部間の隙間に対向する部分とを含み、前記各収容部間の隙間に対向する部分には前記隙間中の後記分離部により破断又は切断される部分が対向可能な平面格子状の溝部が形成されている載置部と、
前記載置部中の溝部に対向可能に形成された平面格子状の先端部を含んでおり、前記先端部が前記載置部に載置されたお薬カレンダーと対向する側から前記お薬カレンダーの各収容部間の隙間及び前記載置部中の溝部内に移動する過程で前記各収容部間を前記隙間から互いに分離させると共に、当該分離された収容部を保持する分離部と
を備えたお薬カレンダーの収容部切り離し纏め用具。
【請求項２】
前記分離部の先端部は、それが対向する前記お薬カレンダーの各収容部間の隙間の長手方向と直交する方向で且つ前記移動の方向に沿う断面が、前記移動方向の先端に近づくにつれて徐々に幅が小さくなるように、形成されている請求項１に記載の収容部切り離し纏め用具。
【請求項３】
前記分離部の先端部は、前記移動の方向と直交する方向に対して少なくとも部分的に傾斜又は湾曲するように形成されている請求項１又は２に記載の収容部切り離し纏め用具。
【請求項４】
患者毎に日付又は曜日と時間帯により特定される各服用回にそれぞれ対応する薬剤を収容した収容部を、１日当たり３回又は４回などの複数回分として例えば４週間分などとなる例えば計２１回又は計２８回などの所定回数の各服用回にそれぞれ対応するように、縦及び横方向に並べて配置したお薬カレンダーを用意しておき、
前記お薬カレンダー中の各収容部に対向する部分と前記各収容部間の隙間に対向する部分とを含み前記各収容部間の隙間に対向する部分には前記隙間中の後記分離部により破断又は切断される部分が対向可能な平面格子状の溝部が形成されている載置部上に、前記お薬カレンダーを載置する載置ステップと、
前記載置部中の溝部に対向可能に形成された平面格子状の先端部を含み前記先端部が前記載置部に載置されたお薬カレンダーと対向する側から前記お薬カレンダーの各収容部間の隙間及び前記載置部中の溝部内に移動する過程で前記各収容部間を前記隙間から互いに分離し当該分離後の収容部を保持する分離部により、前記載置部上に載置されたお薬カレンダー中の各収容部間の各隙間の全体を一度に破断又は切断して前記各収容部の全部を一度に互いに分離し、当該分離された各収容部を、それらが当該各分離前の各収容部同士の前記縦及び横方向の位置関係に対応するように保持することにより、複数の各患者用の各収容部を特定の又は各服用日若しくは服用回別に複数の患者に渡り横断的に纏める分離保持及び纏めステップと、
前記各分離保持されることにより纏められた複数の各患者用の各収容部を、特定の又は各服用日若しくは服用回用に、複数の患者に渡り横断的に一つの容器に配置する配置ステップと
を含み、集団で生活又は活動する場において複数の患者が同一時間帯内に一斉に誤り無く服薬することを容易にするための、複数の患者毎のお薬カレンダーから各薬剤収容部を特定の又は各服用日若しくは服用回用に複数の患者を横断するように纏める方法。
【請求項５】
前記纏められて容器に配置される前の各収容部又は前記纏められて容器に配置された後の各収容部に表示されている、当該各患者の識別データ及び当該服用日若しくは服用回又はその服薬に関してバーコード等で示される情報を読み取るステップと、
前記読み取った各患者の識別データ及び当該服用日若しくは服用回又はその服薬に関してバーコード等で示される情報を、予め記録されている複数の各患者及び各服用日若しくは服用回又はその服薬に関する情報と比較又は照合するステップと
をさらに含むことを特徴とする請求項４に記載の複数の患者毎のお薬カレンダーから各薬剤収容部を特定の又は各服用日若しくは服用回用に複数の患者を横断するように纏める方法。
【手続補正２】
【補正対象書類名】明細書
【補正対象項目名】０００８
【補正方法】変更
【補正の内容】
【０００８】
以上のような新規な課題を解決するための本発明による複数の患者毎のお薬カレンダーから各薬剤収容部を特定の又は各服用日若しくは服用回用に複数の患者を横断するように纏める方法は、患者毎に日付又は曜日と時間帯により特定される各服用回にそれぞれ対応する薬剤を収容した収容部を、１日当たり３回又は４回などの複数回分として例えば４週間分などとなる例えば計２１回又は計２８回などの所定回数の各服用回にそれぞれ対応するように、縦及び横方向に並べて配置したお薬カレンダーを用意しておき、複数の患者用の各お薬カレンダーについてそれぞれ、前記各お薬カレンダー中に縦及び横方向に並べられた各収容部間を連結する各隙間の全体を一度に破断又は切断して前記縦及び横方向の各収容部の全部を一度に互いに分離することを順次繰り返しながら、当該各分離後の各収容部を、それらが当該各分離前の各収容部同士の前記縦及び横方向の位置関係に対応するように順次保持するようにして、複数の各患者用の各収容部を特定の又は各服用日若しくは服用回別に複数の患者に渡り横断的に纏める分離及び纏めステップと、前記各分離され纏められた複数の各患者用の各収容部を、特定の又は各服用日若しくは服用回用に、複数の患者に渡り横断的に一つの容器に配置する配置ステップとを含むものである。
【手続補正３】
【補正対象書類名】明細書
【補正対象項目名】０００９
【補正方法】変更
【補正の内容】
【０００９】
また、本発明による収容部切り離し纏め用具は、「患者毎に日付又は曜日と時間帯により特定される各服用回にそれぞれ対応する薬剤を収容した収容部が１日当たり３回又は４回などの複数回分として例えば４週間分などとなる例えば計２１回又は計２８回などの所定回数の各服用回にそれぞれ対応しながら縦及び横方向に並ぶ状態となるように、前記各収容部を互いに所定の隙間を介して連結して成るお薬カレンダー」が載置されたときに前記お薬カレンダー中の各収容部に対向する部分と前記各収容部間の隙間に対向する部分とを含み、前記各収容部間の隙間に対向する部分には前記隙間中の後記分離部により破断又は切断される部分が対向可能な平面格子状の溝部が形成されている載置部と、前記載置部中の溝部に対向可能に形成された平面格子状の先端部を含み、前記先端部が前記載置部に載置されたお薬カレンダーと対向する側から前記お薬カレンダーの各収容部間の隙間及び前記載置部中の溝部内に移動する過程で前記各収容部間を前記隙間から互いに分離する分離部とを含むものである。
【手続補正４】
【補正対象書類名】明細書
【補正対象項目名】００１０
【補正方法】変更
【補正の内容】
【００１０】
本発明によるお薬カレンダーの収容部切り離し纏め用具は、「患者毎に日付又は曜日と時間帯により特定される各服用回にそれぞれ対応する薬剤を収容した収容部が１日当たり３回又は４回などの複数回分として例えば４週間分などとなる例えば計２１回又は計２８回などの所定回数の各服用回にそれぞれ対応しながら縦及び横方向に並ぶ状態となるように、前記各収容部を互いに所定の隙間を介して連結して成るお薬カレンダー」が載置されたときに前記お薬カレンダー中の各収容部に対向する部分と前記各収容部間の隙間に対向する部分とを含み、前記各収容部間の隙間に対向する部分には前記隙間中の後記分離部により破断又は切断される部分が対向可能な平面格子状の溝部が形成されている載置部と、前記載置部中の溝部に対向可能に形成された平面格子状の先端部を含んでおり、前記先端部が前記載置部に載置されたお薬カレンダーと対向する側から前記お薬カレンダーの各収容部間の隙間及び前記載置部中の溝部内に移動する過程で前記各収容部間を前記隙間から互いに分離させると共に、当該分離された収容部を保持する分離部とを備えたものである。
【手続補正５】
【補正対象書類名】明細書
【補正対象項目名】００１１
【補正方法】変更
【補正の内容】
【００１１】
また、本発明によるお薬カレンダーの収容部切り離し纏め用具において、前記分離部の先端部は、それが対向する前記お薬カレンダーの各収容部間の隙間の長手方向と直交する方向で且つ前記移動の方向に沿う断面が、前記移動方向の先端に近づくにつれて徐々に幅が小さくなるように、形成されていてもよい。
【手続補正６】
【補正対象書類名】明細書
【補正対象項目名】００１２
【補正方法】変更
【補正の内容】
【００１２】
また、本発明による収容部切り離し纏め用具において、前記分離部の先端部は、前記移動の方向と直交する方向に対して少なくとも部分的に傾斜又は湾曲するように形成されていてもよい。
【手続補正７】
【補正対象書類名】明細書
【補正対象項目名】００１３
【補正方法】変更
【補正の内容】
【００１３】
本発明による複数の患者毎のお薬カレンダーから各薬剤収容部を特定の又は各服用日若しくは服用回用に複数の患者を横断するように纏める方法は、患者毎に日付又は曜日と時間帯により特定される各服用回にそれぞれ対応する薬剤を収容した収容部を、１日当たり３回又は４回などの複数回分として例えば４週間分などとなる例えば計２１回又は計２８回などの所定回数の各服用回にそれぞれ対応するように、縦及び横方向に並べて配置したお薬カレンダーを用意しておき、前記お薬カレンダー中の各収容部に対向する部分と前記各収容部間の隙間に対向する部分とを含み前記各収容部間の隙間に対向する部分には前記隙間中の後記分離部により破断又は切断される部分が対向可能な平面格子状の溝部が形成されている載置部上に、前記お薬カレンダーを載置する載置ステップと、前記載置部中の溝部に対向可能に形成された平面格子状の先端部を含み前記先端部が前記載置部に載置されたお薬カレンダーと対向する側から前記お薬カレンダーの各収容部間の隙間及び前記載置部中の溝部内に移動する過程で前記各収容部間を前記隙間から互いに分離し当該分離後の収容部を保持する分離部により、前記載置部上に載置されたお薬カレンダー中の各収容部間の各隙間の全体を一度に破断又は切断して前記各収容部の全部を一度に互いに分離し、当該分離された各収容部を、それらが当該各分離前の各収容部同士の前記縦及び横方向の位置関係に対応するように保持することにより、複数の各患者用の各収容部を特定の又は各服用日若しくは服用回別に複数の患者に渡り横断的に纏める分離保持及び纏めステップと、前記各分離保持されることにより纏められた複数の各患者用の各収容部を、特定の又は各服用日若しくは服用回用に、複数の患者に渡り横断的に一つの容器に配置する配置ステップとを含み、これらにより、集団で生活又は活動する場において複数の患者が同一時間帯内に一斉に誤り無く服薬することを容易にするものである。
【手続補正８】
【補正対象書類名】明細書
【補正対象項目名】００１４
【補正方法】変更
【補正の内容】
【００１４】
さらに、本発明による複数の患者毎のお薬カレンダーから各薬剤収容部を特定の又は各服用日若しくは服用回用に複数の患者を横断するように纏める方法においては、前記纏められて容器に配置される前の各収容部又は前記纏められて容器に配置された後の各収容部に表示されている、当該各患者の識別データ及び当該服用日若しくは服用回又はその服薬に関してバーコード等で示される情報を読み取るステップと、前記読み取った各患者の識別データ及び当該服用日若しくは服用回又はその服薬に関してバーコード等で示される情報を、予め記録されている複数の各患者及び各服用日若しくは服用回又はその服薬に関する情報と比較又は照合するステップとをさらに含むものであってもよい。